(57)【特許請求の範囲】
【請求項１】
合成樹脂により一体的に成形されており、被取付物の角部に一体的に固定されて、この角部の衝突による衝撃を緩和するコーナーガードであって、
前記角部の第一面に当接する第一当接部、前記角部の第二面に当接する第二当接部および前記角部の第三面に当接する第三当接部ならびに前記第二当接部または前記第三当接部を前記第一当接部に対して屈曲可能に前記第一当接部と連接するための連接部を備え、
前記第二当接部は、前記連接部を介して前記第一当接部と連接されており、
前記第三当接部は、前記連接部を介してまたは介さずに前記第一当接部と連接されており、
前記第二当接部は、前記第三当接部と独立して前記第一当接部に対して屈曲可能な状態で、前記第一当接部と連接されていることを特徴とするコーナーガード。
【請求項２】
前記第二当接部または前記第三当接部のうちの一方に、突出部が設けられており、
他方に、前記突出部が嵌合するための切り欠き部が設けられていることを特徴とする請求項１に記載のコーナーガード。
【発明の詳細な説明】
【技術分野】
【０００１】
本発明は、コーナーガードに関する。
【背景技術】
【０００２】
従来、机や棚等の家具の角部や看板等の角部等に取り付けられ、衝突による怪我を防いだり、あるいは、コーナーガードが取り付けられる被取付物が損傷するのを防いだりするためのコーナーガードが知られている。
コーナーガードの一例として、特許文献１に記載のものが知られている。このコーナーガードは、被取付物の２つの面の交わる角を覆うものであり、屈曲部を挟んだ２つの板状部からなるので、屈曲部の角度を変える際に、２つの板状部の一方に他方の板状部の動きが制限されない。また、このコーナーガードは、平板の屈曲部の内側に凹溝を備えており、屈曲部の角度を容易に変えることができる。
また、コーナーガードの一例として、特許文献２に記載のものが知られている。このコーナーガードは、被取付物の３つの面の交わる角を覆うものである。
【先行技術文献】
【特許文献】
【０００３】
【特許文献１】特開２００７−００２５０７
【特許文献２】実開１９７７−０７５５２４
【発明の概要】
【発明が解決しようとする課題】
【０００４】
ところで、被取付物の３つの面の交わる角を覆うコーナーガードにおいては、例えば特許文献２に記載のもののように、被取付物に接する３つの面のうちの１つの面は、他の直交する２つの面に接続されているので、動きが制限され、自由に動かすことができない。したがって、３つの面を被取付物に接着等して固定しようとする場合に、３つの面をほぼ同時に被取付物に接着しなければならず、コーナーガードを精度よく取り付けることが困難であった。
【０００５】
本発明は、前記事情に鑑みてなされたもので、被取付物への取付けを精度よく容易に行うことができるコーナーガードを提供することを目的とする。
【課題を解決するための手段】
【０００６】
前記目的を達成するために、本発明のコーナーガードは、被取付物の角部に取り付けられて、この角部の衝突による衝撃を緩和するコーナーガードであって、
前記角部の第一面に当接する第一当接部、前記角部の第二面に当接する第二当接部および前記角部の第三面に当接する第三当接部ならびに前記第二当接部または／および前記第三当接部を前記第一当接部に対して屈曲可能に前記第一当接部と連接するための連接部を備え、
前記第二当接部は、前記連接部を介して前記第一当接部と連接されており、
前記第三当接部は、前記連接部を介してまたは介さずに前記第一当接部と連接されており、
前記第二当接部は、前記第三当接部と独立して前記第一当接部に対して屈曲可能な状態で、前記第一当接部と連接されていることを特徴とする。
【０００７】
本発明においては、コーナーガードが第一当接部、第二当接部および第三当接部ならびに連接部を備える。第二当接部は、連接部を介して第一当接部と連接される。また、第三当接部は、連接部を介してまたは介さずに第一当接部と連接される。連接部を介して第一当接部と連接された第二当接部は、第三当接部と独立して第一当接部に対して屈曲可能な状態で第一当接部と連接されている。すなわち、第二当接部を屈曲または伸展させる際に、第二当接部または第三当接部のうちの他方に動きが制限されない。
【０００８】
被取付物へのコーナーガードの取付けは、例えば両面粘着テープによって行われる。ここで、被取付物の３つの面（第一面、第二面および第三面）からなる角部にコーナーガードを取り付ける場合を考える。本発明のコーナーガードは、第二当接部を独立して屈曲させることができるので、まず、この独立して屈曲させることができる第二当接部を、被取付物の角部をつくる３つの面のうちの１つ（第二面）に両面粘着テープによって接着して固定することができる。そして、その後第一当接部を、固定した第二当接部に対して屈曲させ、第一当接部および第三当接部を、順番にまたは同時に被取付物の角部をつくる第一面および第三面にそれぞれ、両面粘着テープによって接着して固定することができる。なお、当然、第一当接部を最初に接着することとしてもよい。
【０００９】
このように、本発明のコーナーガードによれば、１つの当接部を先に被取付物に接着することができ、コーナーガードが被取付物に取り付けられる位置を正確に定めることができる。したがって、コーナーガードの被取付物への取付けを精度よく容易に行うことができる。
【００１０】
また、本発明の前記構成において、前記第二当接部または前記第三当接部のうちの一方に、突出部が設けられており、
他方に、前記突出部が嵌合するための切り欠き部が設けられていることが好ましい。
【００１１】
このような構成によれば、第二当接部または第三当接部のうちの一方に設けられた突出部を、第二当接部または第三当接部の他方に設けられた切り欠き部に嵌合させることができる。したがって、第二当接部と第三当接部とを接続して固定することができ、被取付物に取り付けたコーナーガードがずれたり、外れたりするのを防ぐことができる。
【００１２】
本発明によれば、コーナーガードの被取付物への取付けを精度よく容易に行うことができる。
【図面の簡単な説明】
【００１３】
【図１】本発明の実施の形態に係るコーナーガードの一例を示すもので、被取付物にコーナーガードが取り付けられた状態を示す斜視図である。
【図２】同、コーナーガードを内側から見た斜視図である。
【図３】同、コーナーガードを展開した状態を示すもので、（ａ）は平面図、（ｂ）は正面図である。
【発明を実施するための形態】
【００１４】
以下、本発明の実施の形態について図面を参照して説明する。
図１は、本実施の形態のコーナーガード１の使用状態を示す斜視図である。コーナーガード１は、例えば、机や棚等の家具、店舗における什器その他３つ以上の面からなる角を有する物体（被取付物２）の角部に取り付けられる。
本実施の形態においては、図１に示すように、コーナーガード１は、棚（被取付物２）の３つの面（第一面３、第二面４および第三面５）からなる角部分に取り付けられている。なお、角部をつくる複数の面（本実施の形態においては３つの面）のうち、第一当接部１１が当接する面を第一面３、第二当接部１２が当接する面を第二面４、第三当接部１３が当接する面を第三面５と、それぞれ呼ぶものとする。
コーナーガード１は、第一当接部１１と、第二当接部１２と、第三当接部１３と、後述する連接部１４と、を備えている。第一当接部１１は、二等辺三角形状の板状部材であり、頂角の角度が略直角となっている。第二当接部１２と第三当接部１３とは、略長方形の板状部材であり、連接部１４を介して第一当接部１１の等辺のそれぞれと連接されている。
第二当接部１２と第三当接部１３の板厚は同じである。また、第一当接部１１は、頂角に対向する辺側から頂角側に向かって徐々に板厚が厚くなっており、頂角部の板厚は、第二当接部１２および第三当接部１３とほぼ同じ厚さになっている。
【００１５】
図２にコーナーガード１を内側から見た斜視図を示す。第一当接部１１は、第一当接面１１ａを備えている。第二当接部１２は、第二当接面１２ａを備えている。第三当接部１３は、第三当接面１３ａを備えている。
第一当接面１１ａと第二当接面１２ａと第三当接面１３ａとは、それぞれ他の２つの面と略直角に接するようにして、これらの面がコーナーガード１の内側を向いた状態で設けられている。
【００１６】
第一当接部１１と、第二当接部１２と、第三当接部１３と、連接部１４と、は、合成樹脂素材により、一体として形成されている。なお、素材について特に限定するものではないが、例えば、熱可塑性エラストマー、ゴム、スポンジ素材等を用いることができる。
【００１７】
第二当接部１２および第三当接部１３は、外力を加えることで、コーナーガード１の外側方向に向かって、第二当接部１２および第三当接部１３を広げることができる。
第二当接部１２および第三当接部１３を、展開した状態を図３に示す。図３に示すように、第一当接部１１と第二当接部１２および第三当接部１３とは、それぞれ連接部１４を介して連接されている。
第一当接部１１と第二当接部１２との間の連接部１４は、第一当接部１１と第二当接部１２との中間部の厚さが薄くなるように、第一当接面１１ａおよび第二当接面１２ａから、コーナーガード１の外側方向に向かって傾斜している。すなわち、第一当接部１１と第二当接部１２との間の連接部１４は、第一当接部１１側の傾斜面１４ａと第二当接部１２側の傾斜面１４ｂとを備え、連接部１４の傾斜面１４ａ側と傾斜面１４ｂ側とはそれぞれ断面が略Ｖ字状に形成されている。
また、第一当接部１１と第三当接部１３との間の連接部１４も同様に、第一当接部１１と第三当接部１３との中間部の厚さが薄くなるように、第一当接面１１ａおよび第三当接面１３ａから、コーナーガード１の外側方向に向かって傾斜している。すなわち、第一当接部１１と第三当接部１３との間の連接部１４も、第一当接部１１側の傾斜面１４ａと第三当接部１３側の傾斜面１４ｂとを備え、連接部１４の傾斜面１４ａ側と傾斜面１４ｂ側とはそれぞれ断面が略Ｖ字状に形成されている。
【００１８】
また、第二当接部１２には、第二当接面１２ａの連接部１４側の辺に隣接する辺であって第三当接部１３側の辺から、コーナーガード１の外側方向かつ第三当接部１３方向に向かって傾斜するようにして、傾斜面１５ａが設けられている。
また、同様に、第三当接部１３には、第三当接面１３ａの連接部１４側の辺に隣接する辺であって第二当接部１２側の辺から、コーナーガード１の外側方向かつ第二当接部１２方向に向かって傾斜するようにして、傾斜面１５ｂが設けられている。
【００１９】
第一当接部１１と第二当接部１２または第三当接部１３との間の連接部１４の、傾斜面１４ａと１４ｂとは、コーナーガード１に外力が加わっていない状態では互いに当接した状態となっている。このとき、第一当接面１１ａと第二当接面１２ａと第三当接面１３ａとは、それぞれ他の２つの当接面と略直角に接した状態となっている。また、このとき、第二当接部１２の傾斜面１５ａと第三当接部１３の傾斜面１５ｂとは、互いに当接した状態となっている。
【００２０】
すなわち、連接部１４は、弾性を有する。例えば、コーナーガード１の第二当接部１２または第三当接部１３を外側に広げるように、人が手で力を加えることで、コーナーガード１を外側に広げることができ、このときコーナーガード１の内側（第二当接面１２ａまたは第三当接面１３ａが第一当接面１１ａと略直角となる方向）に向けて弾性力が生じる。そして、この力を加えた手を放すと、弾性力によりコーナーガード１が内側に閉じ、傾斜面１４ａと１４ｂおよび傾斜面１５ａと１５ｂとが当接した状態に戻る。
【００２１】
また、このコーナーガード１に外力が加わっていない状態において、第一当接部１１、第二当接部１２および第三当接部１３の、第一当接面１１ａ、第二当接面１２ａまたは第三当接面１３ａとは逆側の面（第一外面１１ｂ、第二外面１２ｂ、第三外面１３ｂ（図１参照））は、それぞれ他の２つの外面と略直角に接した状態となっている。また、この第一外面１１ｂ、第二外面１２ｂおよび第三外面１３ｂの、他の２面と接する部分は、滑らかな曲面となるようにして他の２面と繋がっている。
【００２２】
第三当接部１３の傾斜面１５ｂの中間部には、突出部１６が設けられている。突出部１６は、外力が加わっていない状態のコーナーガード１における、第二当接部１２方向に向かって第三当接部１３から突出するようにして設けられている。突出部１６の厚さは、第二当接部１２および第三当接部１３と同じである。また、突出部１６の先端部分は、第二当接部１２の面方向に向かって膨らんだ形状となっている。
なお、突出部１６は、合成樹脂素材により第三当接部１３と一体として設けられている。
【００２３】
また、第二当接部１２の傾斜面１５ａの中間部には、突出部１６が嵌合するための切り欠き部１７が設けられている。切り欠き部１７は、傾斜面１５ａから、第二当接部１２の中心方向に向かって切り欠くようにして設けられている。
【００２４】
第一当接面１１ａと第二当接面１２ａと第三当接面１３ａとが、それぞれ他の２つの当接面と略直角に接した状態のときに、突出部１６は、切り欠き部１７に嵌合させることができるようになっている。突出部１６が、切り欠き部１７に嵌合しているとき、突出部１６のコーナーガード１における内側の面と外側の面とはそれぞれ、第二当接面１２ａおよび第二外面１２ｂと面一となる。
【００２５】
次に、本実施の形態のコーナーガード１の被取付物２への取付方法を説明する。
ここでは、図１に示すような、棚（被取付物２）の３つの面（第一面３、第二面４および第三面５）のそれぞれが他の２つの面と略直角に交わって形成される角に取り付ける場合を例として説明する。
【００２６】
コーナーガード１の、第一当接面１１ａ、第二当接面１２ａおよび第三当接面１３ａには、それぞれ両面粘着テープ６が設けられている。また、各両面粘着テープ６には、粘着面を覆うようにして剥離紙が設けられており、他の物体への粘着が防止されている。
なお、両面粘着テープ６は、コーナーガード１の製造段階で第一当接面１１ａ、第二当接面１２ａおよび第三当接面１３ａ等にあらかじめ貼り付けてもよく、被取付物２にコーナーガード１を取り付ける者が、取り付けの際にコーナーガード１や被取付物２に貼り付けることとしてもよい。また、コーナーガード１は、接着剤や釘等により被取付物２に固定されるものとしてもよい。
【００２７】
本実施の形態のコーナーガード１の棚２への取付手順を以下に示す。
まず、第一当接面１１ａの両面粘着テープ６に設けられた剥離紙をはがす。
次いで、第一当接面１１ａを、両面粘着テープ６により、棚２の角を形成する３つの面のうちの１つ（第一面３）に貼り付ける。
次いで、第二当接面１２ａの両面粘着テープ６に設けられた剥離紙をはがす。
次いで、第二当接面１２ａを、両面粘着テープ６により、棚２の角を形成する３つの面のうちの１つ（第二面４）に貼り付ける。
次いで、第三当接面１３ａの両面粘着テープ６に設けられた剥離紙をはがす。
次いで、第三当接面１３ａを、両面粘着テープ６により、棚２の角を形成する３つの面のうちの１つ（第三面５）に貼り付ける。
次いで、突出部１６を切り欠き部１７に嵌入し、嵌合させる。
以上の手順により、コーナーガード１が被取付物２に取り付けられる。
なお、突出部１６の切り欠き部１７への嵌入は、第三当接面１３ａを、棚２の角を形成する３つの面のうちの１つに貼り付けるのと同時に行ってもよい。
【００２８】
なお、第一当接面１１ａではなく、第二当接面１２ａまたは第三当接面１３ａを最初に貼り付けてもよい。この場合、第一当接面１１ａを２番目に貼り付けることが望ましい。また、この場合において、突出部１６の切り欠き部１７への嵌入は、３番目の当接面の貼付けと同時に行ってもよいし、３番目の当接面の貼付けを行った後に行ってもよい。
また、第一当接面１１ａ、第二当接面１２ａまたは第三当接面１３ａのいずれか１つを両面粘着テープ６により被取付物２により貼り付けることとしてもよい。このようにしても、突出部１６が切り欠き部１７と嵌合することにより、コーナーガード１が展開するのを防ぐことができるので、コーナーガード１は、被取付物２にしっかりと取り付けられることとなる。
【００２９】
このような構成のコーナーガードにおいては、第二当接部１２および第三当接部１３をそれぞれ、別々に第一当接部１１に対して屈曲させることができる。よって、上記の取付手順のように、第一当接部１１、第二当接部１２または第三当接部１３のうちのいずれか１つを被取付物２に接着して固定した後で、他の２つを順番に接着して固定することが可能となる。
従来のコーナーガードは、第一当接部１１、第二当接部１２および第三当接部１３のうちの１つは、他の２つと固定されているため、第一当接面１１ａ、第二当接面１２ａおよび第三当接面１３ａのうちの複数に両面粘着テープ６が設けられている場合には、コーナーガード１を取り付ける際に３つの当接面を同時に被取付物２に取り付ける必要がある。しかし、実際にこれを行おうとすると、いずれかの当接面が先にくっついてしまうなどして、取り付けたい位置に正確に取り付けるのは非常に困難である。
本実施の形態のコーナーガードによれば、第一当接部１１、第二当接部１２または第三当接部１３のうちのいずれか１つだけを最初に接着してしまうことが可能となる。その上、第二当接部１２および第三当接部１３を展開することが可能なので、コーナーガード１と被取付物２とが接着される部分を色々な方向から目で確認しながら取り付けることが可能となる。
したがって、コーナーガード１を被取付物２に精度よく容易に取り付けることができる。
【００３０】
また、被取付物２のコーナーガード１を取り付けたい角部が、略直角に交わる３つの面から形成されておらず、より大きい角度や小さい角度を有している場合や、４つ以上の面から角が形成されている場合でも、コーナーガード１を取り付けることができる。
【００３１】
また、突出部１６と切り欠き部１７とが設けられているので、突出部１６と切り欠き部１７とを嵌合させることにより、第二当接部１２と第三当接部１３とを接続することができる。第二当接部１２と第三当接部１３とが接続されない場合、第二当接部１２および第三当接部１３はそれぞれ別々に動くことが可能なので、被取付物２にコーナーガード１を接着固定している状態で、コーナーガード１に外力が加わった場合に、接着部分等の一部に力が集中し接着部分がはがれてしまうおそれがある。第二当接部１２と第三当接部１３とが、突出部１６と切り欠き部１７との嵌合により接続されることで、力を分散させることができ、接着部分がはがれるのを防ぐことができる。また、第二当接部１２と第三当接部１３とが接続されることで、互いの動きが制限されるので、第一当接面１１ａ、第二当接面１２ａまたは第三当接面１３ａのうちのいずれか１つのみを被取付物２に接着するだけでコーナーガード１を被取付物２に取り付けることも可能となる。
【００３２】
また、外力が加わっていない状態において、第一当接面１１ａと第二当接面１２ａと第三当接面１３ａとは、それぞれ他の２つの面と略直角に接するようにして、これらの面がコーナーガード１の内側を向いた状態で設けられている。したがって、コーナーガード１を被取付物２に取り付けた際に、コーナーガード１に余計な弾性力が生じ、接着した部分がはがれてしまうのを防ぐことができる。
なお、第二当接面１２ａや第三当接面１３ａが、第一当接面１１ａ側からその逆側に向かって、コーナーガード１の内側方向に傾くように形成されていてもよい。このようにすることで、コーナーガード１が被取付物により密着するようにできる。
また、連接部１４等を弾性力の小さいものとする等して、外力が加わっていない状態において、第二当接面１２ａや第三当接面１３ａが、第一当接面側からその逆側に向かって、コーナーガード１の外側方向に傾くように形成されていてもよい。このようにすることで、コーナーガード１が展開した状態にしやすくなるので、被取付物２への取付が容易となる。
【００３３】
なお、第一当接部１１、第二当接部１２または第三当接部１３の形状は上記形状に限られない。第一当接部１１が略長方形の板状であってもよく、第二当接部１２や第三当接部１３が三角形状の板状であってもよく、また、他の板状であってもよい。例えば、本実施の形態における、第一当接部１１と第二当接部１２とが入れ替わったような形態も考えられる。また、板状に限らず、コーナーガード１の一部が球形等に膨らんでいたり、キャラクター等を模した立体形状となっていたりしてもよい。
【００３４】
なお、突出部１６と切り欠き部１７とは、それぞれ複数設けられていてもよい。また、第二当接部１２と第三当接部１３とのそれぞれに、突出部１６と切り欠き部１７とが１つずつ設けられている等としてもよい。また、突出部１６と切り欠き部１７との形状は、第二当接部１２と第三当接部１３とを接続できるものであれば特に限定はされない。
【００３５】
なお、第一当接面１１ａ、第二当接面１２ａまたは第三当接面１３ａの面形状は、平面に限られない。例えば、曲面等であってもよく、面に凹凸が施されていてもよい。曲面の場合、被取付物２が曲面を有している場合に適したコーナーガード１とすることができる。また、面に凹凸が施されている場合、コーナーガード１が取付後にずれるのを防止することができる。
【００３６】
なお、第二当接部１２または第三当接部１３のいずれか一方のみが連接部１４を介して第一当接部１１と連接されていてもよい。このような構成でも、第二当接面１２ａまたは第三当接面１３ａのみを最初に被取付物２に接着して固定することができる。
【００３７】
なお、第一当接部１１と、第二当接部１２と、第三当接部１３と、連接部１４と、は、同一の素材により、一体として形成されていなくてもよい。また、連接部１４が、第二当接部１２や第三当接部１３を屈曲や伸展させやすい素材により形成されており、第一当接部１１、第二当接部１２または第三当接部１３は、被取付物２を保護するために金属や木材等の硬い素材等により形成されていてもよい。また、連接部１４は、第二当接部１２や第三当接部１３を屈曲や伸展させやすい他の形状であってもよい。例えば、本実施の形態のように、一辺に亘り連接部１４により連接されるのではなく、１辺の一部のみを接続するような形であってもよい。
【００３８】
なお、第二当接部１２と第三当接部１３との位置関係は、本実施の形態のものに限られない。すなわち、本実施の形態においては、図１に示すように、第一当接部１１を上側にして、コーナーガード１を外側から見た場合に、第二当接部１２が左側、第三当接部１３が右側に位置しているが、第二当接部１２が右側、第三当接部１３が左側に位置する形態となっていてもよい。
【符号の説明】
【００３９】
１  コーナーガード
２  被取付物（棚）
３  第一面
４  第二面
５  第三面
１１  第一当接部
１２  第二当接部
１３  第三当接部
１４  連接部
１６  突出部
１７  切り欠き部
【図１】
0006669563.tif 000002
【図２】
0006669563.tif 000003
【図３】
0006669563.tif 000004